(57)【要約】【課題】冷房モードにおいて外気を効率良く除湿でき、暖房モードにおいて外気を効率良く加湿できる省エネルギー型空気調和システムを得る。【解決手段】空調機４３のサプライチャンバー２３を被空調室１３の吹出口２７に接続し、空調機４３のリターンチャンバー４５を被空調室１３の還気口１５に接続すると共に、空調機４３のリターンチャンバー４５に外気取入口１９を接続した省エネルギー型空気調和システム４１であって、空調機４３は、リターンチャンバー４５を二つの並列する第一チャンバー４７と第二チャンバー４９とで構成し、第一チャンバー４７に還気口１５を接続すると共に還気用熱交換器５１を内設し、第二チャンバー４９に外気取入口１９を接続すると共に外気用熱交換器５３と加湿器７とを空気の流れ方向に内設し、第一チャンバー４７及び第二チャンバー４９の下流端をサプライチャンバー２３に接続した。【選択図】        図１
2004340529.tif 000002
【特許請求の範囲】
【請求項１】
空調機のサプライチャンバーを被空調室の吹出口に接続し、前記空調機のリターンチャンバーを前記被空調室の還気口に接続すると共に、前記空調機のリターンチャンバーに外気取入口を接続し、前記被空調室内の顕熱負荷、潜熱負荷に適合した状態の空気を前記空調機から送風して、前記被空調室内の温湿度を一定に保つ省エネルギー型空気調和システムであって、
前記空調機は、
前記リターンチャンバーを二つの並列する第一チャンバーと第二チャンバーとで構成し、
該第一チャンバーに前記還気口を接続すると共に還気用熱交換器を内設し、
前記第二チャンバーに前記外気取入口を接続すると共に外気用熱交換器と加湿器とを空気の流れ方向に内設し、
前記第一チャンバー及び前記第二チャンバーの下流端を前記サプライチャンバーに接続したことを特徴とする省エネルギー型空気調和システム。
【請求項２】
空調機のサプライチャンバーを被空調室の吹出口に接続し、前記空調機のリターンチャンバーを前記被空調室の還気口に接続すると共に、前記空調機のリターンチャンバーに外気取入口を接続し、前記被空調室内の顕熱負荷、潜熱負荷に適合した状態の空気を前記空調機から送風して、前記被空調室内の温湿度を一定に保つ省エネルギー型空気調和システムであって、
前記空調機は、
前記リターンチャンバーを二つの並列する第一チャンバーと第二チャンバーとで構成し、
該第一チャンバーに前記還気口を接続し、
前記第二チャンバーに前記外気取入口を接続すると共に外気用熱交換器と加湿器とを空気の流れ方向に内設し、
前記第一チャンバー及び前記第二チャンバーの下流端を主熱交換器を介して前記サプライチャンバーに接続したことを特徴とする省エネルギー型空気調和システム。
【発明の詳細な説明】
【０００１】
【発明の属する技術分野】
本発明は、冷水・温水又は冷媒を熱媒とする省エネルギー型空気調和システムに関し、特に、冷房モードにおいて外気を効率良く除湿でき、暖房モードにおいて外気を効率良く加湿できるようにした改良技術に関する。
【０００２】
【従来の技術】
例えば冷水・温水又は冷媒を熱媒とする空気調和システムは、被空調室と空調機とを一体若しくは別体で接続することによって、室内の顕熱負荷、潜熱負荷に適合した状態の空気を送風している。この種の従来の空気調和システムの系統図を図７に、従来の空気調和システムにおける冷房時・暖房時の空気線図上の空気の状態変化を図８、図９に示す。空調機１は、空気の流れ方向上流側から下流側に向かって、フィルター３、冷却・加熱コイル５、加湿器７、送風機９を順次介装している。上記のフィルター３を内蔵したリターンチャンバー１１の上流部には、被空調室１３の還気口１５が還気ダクト１７を介して接続されると共に、外気取入口１９が外気取入ダクト２１を介して接続されている。一方、上記の加湿器７、送風機９を内蔵したサプライチャンバー２３の下流部は、送風ダクト２５を介して被空調室１３の吹出口２７に接続されている。なお、図７中、２８はボリュームダンパー、２９は外気量制御ダンパー、３１は被空調室１３内の排気吸込口、３３は排風機、３５は排気口である。
【０００３】
このように構成される空気調和システムでは、冷房時、図８に示すように、Ｏ状態の外気がＲ状態の還気と混合してＡ状態となり、冷却・加熱コイル５によって冷却されてＢ状態となり、被空調室１３に送風されてＲ状態となり、このＲ状態の還気が再びＯ状態の外気と混合してＡ状態となり、以下、上記と同様にして状態変化する。また、暖房時には、図９に示すように、Ｏ状態の外気がＲ状態の還気と混合してＡ状態となり、冷却・加熱コイル５によって加熱されてＢ状態となり、加湿器７によって加湿されてＣ状態となった後、被空調室１３に送風されてＲ状態となり、このＲ状態の還気が再びＯ状態の外気と混合してＡ状態となり、以下、上記と同様にして状態変化する。
【０００４】
このように、従来の空気調和システムによれば、冷房時、リターンチャンバー１１にて外気と還気を混合した後、送風量の全量に対して冷却減湿を行い、暖房時、送風量の全量に対して加温加湿を行って、被空調室１３内の顕熱負荷、潜熱負荷に適合した状態の空気を送風して空調を行っている。
【０００５】
この出願の発明に関連する先行技術文献情報としては次のものがある。
【非特許文献１】
折原明男，外３名，「新宿ＮＳビルの空気調和設備」，空気調和・衛生工学，昭和５９年１２月，第５８巻，第１２号，ｐ．２７−４４
【０００６】
【発明が解決しようとする課題】
しかしながら、従来の空気調和システムは、図８に示した冷房モードにおいて、冷水コイルを室内乾球温度により制御しているため、相対湿度が成行きとなり、例えば、図中の点線のように、室内顕熱負荷が小さくなって、吹出温度差が小さくなると、除湿が十分にできずに室内相対湿度が高くなり、快適性が減じる。
また、図９に示した暖房モードでは、温水コイルで加湿分の潜熱負荷も含めて加熱した後に加湿する。従って、室内加熱負荷が十分にある場合は、加湿器入口乾球温度も高温となるため、加湿器が能力を発揮しやすい状態となり、室内相対湿度を設定値に制御できるが、室内顕熱負荷が小さくなると、図中の点線のように、加湿器入口乾球温度が低くなるため、加湿器の加湿能力が低下して、室内相対湿度が低くなる不具合があった。
【０００７】
これに対し、上記非特許文献１には、外調機と、分散形空調機（ターミナル空調機）とからなる機能分担形の空調システムが開示されている。ここで、外調機は、基本的に外気の熱負荷の処理を分担する他、室内湿度制御や若干の室内顕熱負荷の処理も分担する。また、ターミナル空調機は、室内の顕熱負荷処理を分担する。この空調システムによれば、例えば除湿を外調機が分担するので、除湿再熱が生じず、外調機とターミナル空調機とにおける冷却コイルでの熱消費量が、単一ダクトシステムの熱消費量に比べ、大幅に節約可能となった。ところが、この空調システムは、それぞれ別体の外調機と、ターミナル空調機とからなり、しかも、外調機が東西南北の各方位ごとに４層に１台の割合で設置されるため、個別運転の確立が困難であるのに加え、個別系統ごとの湿度制御が不安定になるとともに、各階を独立系統とする防災上の安全性確保が困難となった。
【０００８】
本発明は上記状況に鑑みてなされたもので、その第１の目的は、冷房モードにおいて外気を効率良く除湿でき、暖房モードにおいて外気を効率良く加湿できる省エネルギー型空気調和システムを提供し、もって、冷房モードにおける省エネルギー及び暖房モードにおける加湿能力の向上を図ることにある。また、その第２の目的は、個別運転の確立を容易にし、個別系統ごとの湿度制御の安定性を確保でき、しかも、各階独立系統による防災の安全性が確保できる省エネルギー型空気調和システムを得ることにある。
【０００９】
【課題を解決するための手段】
上記目的を達成するための本発明に係る請求項１記載の省エネルギー型空気調和システムは、空調機のサプライチャンバーを被空調室の吹出口に接続し、前記空調機のリターンチャンバーを前記被空調室の還気口に接続すると共に、前記空調機のリターンチャンバーに外気取入口を接続し、前記被空調室内の顕熱負荷、潜熱負荷に適合した状態の空気を前記空調機から送風して、前記被空調室内の温湿度を一定に保つ省エネルギー型空気調和システムであって、前記空調機は、  前記リターンチャンバーを二つの並列する第一チャンバーと第二チャンバーとで構成し、該第一チャンバーに前記還気口を接続すると共に還気用熱交換器を内設し、前記第二チャンバーに前記外気取入口を接続すると共に外気用熱交換器と加湿器とを空気の流れ方向に内設し、前記第一チャンバー及び前記第二チャンバーの下流端を前記サプライチャンバーに接続したことを特徴とする。
【００１０】
この省エネルギー型空気調和システムでは、冷房モードにおいて、高湿度の外気が、外気用熱交換器により冷却除湿され、室内相対湿度を設定値に維持するよう制御される。また、還気が還気用熱交換器により冷却され、冷却除湿された外気と混合した空調空気が室内空気温度を設定値に維持するよう制御される。
一方、暖房モードにおいては、低湿度の外気が外気用熱交換器で加温され、加温された外気が加湿器により加湿され、室内相対湿度を設定値に維持するように制御される。また、還気が還気用熱交換器により加温され、加湿された外気と混合した空調空気が室内空気温度を設定値に維持するよう制御される。
これにより、冷房モードにおいては、外気が効率良く除湿され、従来システムに比較して低湿度の室内空気が得られ、従来システムより高温でも快適な温熱感が得られる。また、恒温恒湿システムとする場合も従来システムより再熱負荷が大きく低減される。また、暖房モードにおいては、外気が効率良く加湿され、従来システムでは十分に加湿できないために室内空気湿度が設定値に達しない状態が回避される。
更に、別体の外調機と、ターミナル空調機とからなる従来の空調システムに対し、リターンチャンバーが第一チャンバーと第二チャンバーとで区画構成され、この第一チャンバーに還気口が接続されて還気用熱交換器が内設され、第二チャンバーに外気取入口が接続されて外気用熱交換器と加湿器とが内設されるので、上記した効果の得られる局所的な空気調和が分散して実現可能となる。
【００１１】
請求項２記載の省エネルギー型空気調和システムは、空調機のサプライチャンバーを被空調室の吹出口に接続し、前記空調機のリターンチャンバーを前記被空調室の還気口に接続すると共に、前記空調機のリターンチャンバーに外気取入口を接続し、前記被空調室内の顕熱負荷、潜熱負荷に適合した状態の空気を前記空調機から送風して、前記被空調室内の温湿度を一定に保つ省エネルギー型空気調和システムであって、前記空調機は、前記リターンチャンバーを二つの並列する第一チャンバーと第二チャンバーとで構成し、該第一チャンバーに前記還気口を接続し、前記第二チャンバーに前記外気取入口を接続すると共に外気用熱交換器と加湿器とを空気の流れ方向に内設し、前記第一チャンバー及び前記第二チャンバーの下流端を主熱交換器を介して前記サプライチャンバーに接続したことを特徴とする。
【００１２】
この省エネルギー型空気調和システムでは、冷房モードにおいて、高湿度の外気が、外気用熱交換器により冷却除湿され、室内相対湿度を設定値に維持するよう制御される。また、この冷却除湿された外気と還気を混合した空調空気が主熱交換器により冷却されて室内空気温度を設定値に維持するよう制御される。
一方、暖房モードにおいては、低湿度の外気が外気用熱交換器で加温された後、加湿器により加湿され、この温湿度調整された外気が還気と混合された後、室内空気温度が設定値に維持されるよう主熱交換器が制御される。従って、この省エネルギー型空気調和システムにおいても、冷房モードにおいては、外気が効率良く除湿され、暖房モードにおいては、外気が効率良く加湿され、請求項１記載の構成が奏する作用と同様の作用が得られる。
【００１３】
【発明の実施の形態】
以下、本発明に係る省エネルギー型空気調和システムの好適な実施の形態を図面を参照して詳細に説明する。
図１は本発明に係る省エネルギー型空気調和システムの第１の実施の形態を表すシステム構成図、図２は第１の実施の形態の冷房時における空気線図上の空気の状態変化を表す説明図、図３は第１の実施の形態の暖房時における空気線図上の空気の状態変化を表す説明図である。なお、以下の各実施の形態において、図７に示した部材と同一の部材には同一の符号を付して説明する。
【００１４】
本実施の形態による省エネルギー型空気調和システム４１において、空調機４３は、リターンチャンバー４５を二つの並列する第一チャンバー４７と第二チャンバー４９とで構成している。この分割チャンバー構成は、一つのリターンチャンバーを仕切って、第一チャンバー４７と第二チャンバー４９とを形成してもよく、又既存のリターンチャンバーである第一チャンバー４７に、新たな第二チャンバー４９を付設するものであってもよい。
【００１５】
第一チャンバー４７には、被空調室１３の還気口１５を、還気ダクト１７を介して接続している。第二チャンバー４９には、外気取入口１９を、外気取入ダクト２１を介して接続している。第一チャンバー４７には還気用熱交換器である冷却・加熱コイル５１が内設され、冷却・加熱コイル５１は還気ダクト１７から導入した還気と熱交換する。
【００１６】
第二チャンバー４９には外気用熱交換器である冷却・加熱コイル５３が内設され、冷却・加熱コイル５３は外気取入ダクト２１から導入された外気と熱交換する。冷却・加熱コイル５３の下流側には加湿器７が内設されている。そして、第一チャンバー４７及び第二チャンバー４９の下流端は、サプライチャンバー２３に接続されている。
【００１７】
また、第一チャンバー４７、第二チャンバー４９のそれぞれには、還気、外気に対して塵埃を除去するフィルター５５、５７を設けている。そして、空調機４３のサプライチャンバー２３には、従来と同様に、送風機９を配設している。なお、図１中、２８はボリュームダンパー、２９は外気量制御ダンパー、３１は被空調室１３内の排気吸込口、３３は排風機、３５は排気口である。
【００１８】
また、上記の冷却・加熱コイル５１、５３には、図示しない熱源が熱媒配管を介して接続されている。熱源としては、例えばボイラー、冷凍機蓄熱、電気ヒータ等を利用することができる。また、コイルを直膨式とすることもでき、全体をパッケージ型空調機として製作することもできる。
【００１９】
このように構成される省エネルギー型空気調和システム４１は、冷房モードにおいて、高湿度の外気が、冷却・加熱コイル５３により冷却除湿され、室内相対湿度を設定値に維持するよう制御される。また、還気が冷却・加熱コイル５１により冷却され、冷却除湿された外気と混合した空調空気が室内空気温度を設定値に維持するよう制御される。
【００２０】
一方、暖房モードにおいては、低湿度の外気が冷却・加熱コイル５３で加温され、加温された外気が加湿器７により加湿され、室内相対湿度を設定値に維持するように制御される。また、還気が冷却・加熱コイル５１により加温され、加湿された外気と混合した空調空気が室内空気温度を設定値に維持するよう制御される。
【００２１】
この動作をより詳しく説明すれば、図２、図３に示すとおりとなる。なお、図２、図３中のＯ、Ａ、Ｂ、Ｃ、Ｄ、Ｒの符号は、図１に同符号で示した位置の空気の状態を表す。即ち、冷房時、図２に示すように、Ｏ状態の外気は、冷却・加熱コイル５３によって冷却されてＡ状態となる。Ｒ状態の還気は、冷却・加熱コイル５１によって冷却されてＣ状態となり、これらが混合してＤ状態となった後、被空調室１３に送風されてＲ状態となり、このＲ状態の還気が再び冷却・加熱コイル５１によって冷却されてＣ状態となり、以下、上記と同様にして状態変化する。また、暖房時には、図３に示すように、Ｏ状態の外気が冷却・加熱コイル５３によって加熱されてＡ状態となり、加湿器７によって加湿されてＢ状態となる。一方、還気は冷却・加熱コイル５１によって加熱されてＣ状態となり、Ｂ状態の外気と混合してＤ状態となった後、被空調室１３に送風されてＲ状態となり、このＲ状態の還気が再びＣ状態に加熱されて、Ｂ状態の外気と混合し、以下、上記と同様にして状態変化する。
【００２２】
また、冷房モードにおいて、室内熱負荷が低下した場合、図２の点線のように状態が変化する（Ａ１、Ｃ１、Ｄ１、Ｒ１）。外気もＯ１〜Ａ１のように変化するが、従来システムに比較して除湿がより確実に行えるため、室内相対湿度が安定しやすい。室内顕熱負荷が小さくなって室内空気温度が目標値より低下することを防止するには室内空気温度補償制御により、外気の冷却除湿を緩和する。この場合、室内相対温度が目標値より高くなるが従来システムの高湿度の状態は生じにくい。また、還気側で冷却・加熱コイル５１による加温制御を行えば恒温恒湿空調とすることができる。
【００２３】
また、暖房モードにおいて、室内熱負荷が低下した場合、冷却・加熱コイル５１の加温を制御して図３中の点Ｃ、Ｄを点Ｒ（室内空気）へ近づけるよう変化させる。室内熱負荷が大きく低下して冷却・加熱コイル５１の加温が停止しても、冷却・加熱コイル５３の加温により室内空気温度が上昇することを防止するには室内空気温度補償制御により外気の加温を緩和する。室内熱負荷が冷房サイドに変化した場合を図３の符号Ａ１、Ｂ１、Ｄ１、Ｒ１で示す。また、外気状態が変化した場合をＡ２で示す。この場合、加湿器入口空気温度Ａ（Ａ１、Ａ２）により加湿器７の能力が変化するため、暖房期の室内熱負荷が最も小さい状態でも加湿能力を確保できるよう機器選定が必要である。
【００２４】
これにより、冷房モードにおいては、外気が効率良く除湿され、従来システムに比較して低湿度の室内空気が得られ、従来システムより高温でも快適な温熱感が得られる。そして、恒温恒湿システムとする場合も従来システムより再熱負荷が大きく低減される。また、暖房モードにおいては、外気が効率良く加湿され、従来システムでは十分に加湿できないために室内空気湿度が設定値に達しない状態が回避される。
【００２５】
また、この省エネルギー型空気調和システム４１によれば、外気と還気のそれぞれが、第一チャンバー４７、第二チャンバー４９に設けられた個別の冷却・加熱コイル５１、５３によって冷却され、外気が還気と混ぜられる前の、少量多湿の外気のみで冷却され、効率的な除湿が可能となる。即ち、従来のように、少量多湿の外気が還気と混ざることによって、多量少湿の空気となることがない。このため、多量少湿の空気から水分を除去するための多大な冷却負荷が発生しなくなる。これにより、従来、除湿のために発生した非効率な冷却負荷や再熱負荷が低減され、高温で快適な温熱感が得られるとともに、年間の冷却負荷も低減可能となる。
【００２６】
更に、別体の外調機と、ターミナル空調機とからなる従来の空調システムに対し、リターンチャンバー４５が第一チャンバー４７と第二チャンバー４９とで区画構成され、この第一チャンバー４７に還気口１５が接続されて冷却・加熱コイル５１が内設され、第二チャンバー４９に外気取入口１９が接続されて冷却・加熱コイル５３と加湿器７とが内設されるので、上記した効果の得られる局所的な空気調和が分散して実現可能となる。この結果、個別運転の確立を容易にできるとともに、個別系統ごとの湿度制御の安定性が確保でき、しかも、各階独立系統が可能となるので、例えば防火区画の防火性能を低下させることもなく、防災の安全性も確実に確保できるようになる。
【００２７】
そして、別体の外調機と、ターミナル空調機とからなる従来の空調システムでは、外調機とターミナル空調機との双方に送風機を備えなければならないが、この省エネルギー型空気調和システム４１によれば、第一チャンバー４７と第二チャンバー４９からの調和空気を一つの送風機９によって搬送できるので、空気搬送系（送風機、ダクト、ダンパ、制御用補機等）の設備コスト、ランニングコントの低減も可能となる。
【００２８】
次に、本発明に係る省エネルギー型空気調和システムの第２の実施の形態を説明する。
図４は本発明に係る省エネルギー型空気調和システムの第２の実施の形態を表すシステム構成図、図５は第２の実施の形態の冷房時における空気線図上の空気の状態変化を表す説明図、図６は第２の実施の形態の暖房時における空気線図上の空気の状態変化を表す説明図である。なお、図１に示した部材と同一の部材には同一の符号を付して説明する。
【００２９】
本実施の形態による省エネルギー型空気調和システム６１において、空調機６３は、リターンチャンバー４５を二つの並列する第一チャンバー４７と第二チャンバー４９とで構成している。第一チャンバー４７には、被空調室１３の還気口１５を、還気ダクト１７を介して接続している。第二チャンバー４９には、外気取入口１９を、外気取入ダクト２１を介して接続している。第一チャンバー４７にはフィルター５５のみが内設される。
【００３０】
第二チャンバー４９には外気用熱交換器である冷却・加熱コイル５３が内設され、冷却・加熱コイル５３は外気取入ダクト２１から導入された外気と熱交換する。冷却・加熱コイル５３の下流側には加湿器７が内設されている。そして、第一チャンバー４７及び第二チャンバー４９の下流端は、主熱交換器である冷却・加熱コイル６５を介してサプライチャンバー２３に接続されている。
【００３１】
この実施の形態では、冷却・加熱コイル５３及び加湿器７で温湿度調整された外気を、還気と混合した後に、室内空気温度が設定値に維持されるよう冷却・加熱コイル６５で制御する。
【００３２】
このように構成される省エネルギー型空気調和システム６１では、冷房時、図５に示すように、Ｏ状態の外気は、冷却・加熱コイル５３によって冷却されてＡ状態となる。Ｒ状態の還気は、Ａ状態の外気と混合してＣ状態となった後、冷却・加熱コイル６５によって冷却されてＤ状態となり、被空調室１３に送風されてＲ状態となる。このＲ状態の還気が再びＡ状態の外気と混合してＣ状態となった後、冷却・加熱コイル６５によって冷却されてＤ状態となり、以下、上記と同様にして状態変化する。また、暖房時には、図６に示すように、Ｏ状態の外気が冷却・加熱コイル５３によって加熱されてＡ状態となり、加湿器７によって加湿されてＢ状態となる。一方、還気はＢ状態の外気と混合してＣ状態となり、更に冷却・加熱コイル６５によってＤ状態に加熱された後、被空調室１３に送風されてＲ状態となり、このＲ状態の還気が再びＣ状態となって、以下、上記と同様にして状態変化する。
【００３３】
また、冷房モードにおいて、室内熱負荷が低下した場合、図５の点線のように状態が変化する（Ｄ１、Ｒ１）が、従来システムに比較して除湿がより確実に行えるため、室内相対湿度が安定しやすい。
【００３４】
また、暖房モードにおいて、室内熱負荷が低下した場合、冷却・加熱コイル６５の加温を制御して図６中の点Ｄを点Ｒ（室内空気）へ近づけるよう変化させる。室内熱負荷が冷房サイドに変化した場合を図６の符号Ａ１、Ｂ１、Ｄ１で示す。
【００３５】
従って、この省エネルギー型空気調和システム６１においても、冷房モードにおいては、外気が効率良く除湿され、暖房モードにおいては、外気が効率良く加湿され、上記した省エネルギー型空気調和システム４１が奏する作用効果と同様の作用効果を得ることができる。
【００３６】
【発明の効果】
以上詳細に説明したように、本発明に係る省エネルギー型空気調和システムによれば、冷房モードにおいて、外気を効率良く除湿できるので、従来システムに比較して低湿度の室内空気を得られ、従来システムより高温でも快適な温熱感を得られ、その結果として省エネルギーが達成される。また、恒温恒湿システムとする場合も従来システムより再熱負荷を大きく低減することができ、省エネルギーが達成される。また、暖房モードにおいて、外気を効率良く加湿できるので、従来システムでは十分に加湿できないために室内空気湿度が設定値に達しない状態を回避することができる。そして。従来システムでは蒸気加湿でなければ達成できなかった室内空気湿度の設定値を気化式加湿によっても達成することができるようになる。更に、リターンチャンバーを第一チャンバーと第二チャンバーとで構成し、第一チャンバーに還気口を接続して還気用熱交換器を内設し、第二チャンバーに外気取入口を接続して外気用熱交換器と加湿器とを内設したので、上記した効果の得られる局所的な空気調和を分散させて実現でき、個別運転の確立を容易にできるとともに、個別系統ごとの湿度制御の安定性が確保でき、しかも、各階独立系統による防災の安全性も確保できるようになる。
【図面の簡単な説明】
【図１】本発明に係る省エネルギー型空気調和システムの第１の実施の形態を表すシステム構成図である。
【図２】第１の実施の形態の冷房時における空気線図上の空気の状態変化を表す説明図である。
【図３】第１の実施の形態の暖房時における空気線図上の空気の状態変化を表す説明図である。
【図４】本発明に係る省エネルギー型空気調和システムの第２の実施の形態を表すシステム構成図である。
【図５】第２の実施の形態の冷房時における空気線図上の空気の状態変化を表す説明図である。
【図６】第２の実施の形態の暖房時における空気線図上の空気の状態変化を表す説明図である。
【図７】従来の空気調和システムを表すシステム構成図である。
【図８】図７に示した従来システムの冷房時における空気線図上の空気の状態変化を表す説明図である。
【図９】図７に示した従来システムの暖房時における空気線図上の空気の状態変化を表す説明図である。
【符号の説明】
７…加湿器、１３…被空調室、１５…還気口、１９…外気取入口、４３，６３…空調機、２３…サプライチャンバー、２７…吹出口、４１，６１…省エネルギー型空気調和システム、４５…リターンチャンバー、４７…第一チャンバー、４９…第二チャンバー、５１…冷却・加熱コイル（還気用熱交換器）、５３…冷却・加熱コイル（外気用熱交換器）、６５…冷却・加熱コイル（主熱交換器）
【図１】
2004340529.tif 000003
【図２】
2004340529.tif 000004
【図３】
2004340529.tif 000005
【図４】
2004340529.tif 000006
【図５】
2004340529.tif 000007
【図６】
2004340529.tif 000008
【図７】
2004340529.tif 000009
【図８】
2004340529.tif 000010
【図９】
2004340529.tif 000011